(57)【要約】【課題】本発明は、選局動作時のチャネル番号の認識が容易となる選局表示方法及びそれを用いた放送受信装置を提供することを目的とする。【解決手段】テレビジョン放送を受信する放送受信装置であって、選局チャネルの詳細情報を画面に表示する詳細バナーの表示信号を生成する詳細バナー生成手段３７と、前記選局チャネルの詳細情報の一部を前記詳細バナーより拡大して画面に表示する拡大バナーの表示信号を生成する拡大バナー生成手段３７と、選局動作から第１の所定時間は前記拡大バナーの表示信号により拡大バナーを画面に表示させ、前記拡大バナーの表示終了から第２の所定時間は前記詳細バナーの表示信号により詳細バナーを画面に表示させる表示制御手段Ｓ２，Ｓ７〜Ｓ９を有する。【選択図】  図２
2009272878.tif 000002
【特許請求の範囲】
【請求項１】
テレビジョン放送を受信する放送受信装置であって、
選局チャネルの詳細情報を画面に表示する詳細バナーの表示信号を生成する詳細バナー生成手段と、
前記選局チャネルの詳細情報の一部を前記詳細バナーより拡大して画面に表示する拡大バナーの表示信号を生成する拡大バナー生成手段と、
選局動作から第１の所定時間は前記拡大バナーの表示信号により拡大バナーを画面に表示させ、前記拡大バナーの表示終了から第２の所定時間は前記詳細バナーの表示信号により詳細バナーを画面に表示させる表示制御手段を
有することを特徴とする放送受信装置。
【請求項２】
請求項１記載の放送受信装置において、
前記第２の所定時間は、前記第１の所定時間より大きく設定したことを特徴とする放送受信装置。
【請求項３】
テレビジョン放送を受信する放送受信装置の選局表示方法であって、
選局動作から第１の所定時間は選局チャネルの詳細情報の一部を拡大した拡大バナーを画面に表示し、
前記拡大バナーの表示終了から第２の所定時間は前記選局チャネルの詳細情報を画面に表示することを特徴とする選局表示方法。
【請求項４】
請求項３記載の選局表示方法において、
前記第２の所定時間は、前記第１の所定時間より大きく設定したことを特徴とする選局表示方法。
【発明の詳細な説明】
【技術分野】
【０００１】
本発明は、選局状態の表示を行う選局表示方法及びそれを用いた放送受信装置に関する。
【背景技術】
【０００２】
従来から、地上デジタルテレビジョン放送やケーブルテレビジョン放送、インターネットテレビジョン放送等の複数の放送メディアを受信する、いわゆるセットトップボックスと呼ばれる放送受信装置がある。
【０００３】
このような放送受信装置では、選局操作時に、例えば時間情報、番組名、次の番組名、視聴ネットワーク、事業者名、チャネル番号等の選局情報を画面の一部に表示している。
【０００４】
なお、取得した画像コンテンツ情報が構成する画像中の文字列情報やコンテンツ属性情報に基づいて、画像中で文字列が表示される文字画像領域を示す文字画像領域情報を取得することにより、この文字画像領域を拡大表示する機能を持つものがある（例えば特許文献１参照）。
【特許文献１】特開２００６−２８５０５１号公報
【発明の開示】
【発明が解決しようとする課題】
【０００５】
従来の放送受信装置では、受信チャネルを変更する選局操作時に、例えば時間情報、番組名、次の番組名、視聴ネットワーク、事業者名、チャネル番号等の選局情報を画面の一部に表示している。
【０００６】
しかるに、テレビジョン受像機の画面が小さい場合、上記選局情報の表示領域も必然的に小さくなるため、利用者は選局動作でもっとも重要なチャネル番号の認識が困難になるという問題があった。
【０００７】
本発明は、上記の点に鑑みなされたもので、選局動作時のチャネル番号の認識が容易となる選局表示方法及びそれを用いた放送受信装置を提供することを目的とする。
【課題を解決するための手段】
【０００８】
本発明の一実施態様の放送受信装置は、テレビジョン放送を受信する放送受信装置であって、
選局チャネルの詳細情報を画面に表示する詳細バナーの表示信号を生成する詳細バナー生成手段（３７）と、
前記選局チャネルの詳細情報の一部を前記詳細バナーより拡大して画面に表示する拡大バナーの表示信号を生成する拡大バナー生成手段（３７）と、
選局動作から第１の所定時間は前記拡大バナーの表示信号により拡大バナーを画面に表示させ、前記拡大バナーの表示終了から第２の所定時間は前記詳細バナーの表示信号により詳細バナーを画面に表示させる表示制御手段（Ｓ２，Ｓ７〜Ｓ９）を有する。
【０００９】
好ましくは、前記第２の所定時間は、前記第１の所定時間より大きく設定する。
【００１０】
本発明の一実施態様の選局表示方法は、テレビジョン放送を受信する放送受信装置の選局表示方法であって、
選局動作から第１の所定時間は選局チャネルの詳細情報の一部を拡大した拡大バナーを画面に表示し、
前記拡大バナーの表示終了から第２の所定時間は前記選局チャネルの詳細情報を画面に表示する。
【００１１】
好ましくは、前記第２の所定時間は、前記第１の所定時間より大きく設定する。
【００１２】
なお、上記括弧内の参照符号は、理解を容易にするために付したものであり、一例にすぎず、図示の態様に限定されるものではない。
【発明の効果】
【００１３】
本発明によれば、選局動作時のチャネル番号の認識が容易となる。
【発明を実施するための最良の形態】
【００１４】
以下、図面に基づいて本発明の実施形態について説明する。
【００１５】
＜セットトップボックスの構成＞
図１は、本発明の放送受信装置の一実施形態のブロック図を示す。同図中、放送受信装置（セットトップボックス）３０は、デジタルＴＶチューナ３１と、映像配信通信モジュール３２と、ＴＶ対応ＬＳＩ（大規模集積回路）３３を有している。
【００１６】
デジタルＴＶチューナ３１は、アンテナ入力を供給され、所望のチャンネルの地上デジタルテレビジョン放送信号を受信して、受信チャンネルのＭＰＥＧ２−ＴＳパケットを得て、ＴＶ対応ＬＳＩ３３に供給する。
【００１７】
映像配信通信モジュール３２は、ＩＰネットワークに接続されており、ＩＰネットワークにおいてイーサネット（登録商標）で通信するのに適した信号をＣＰＵにおけるデジタル信号に変換し、また、その逆変換を行う。例えばプロバイダからＩＰネットワークを介して情報を受信し、受信情報から得たＴＳパケット及び通信メッセージ（制御情報を含む）をＴＶ対応ＬＳＩ３３に供給すると共に、ＴＶ対応ＬＳＩ３３から供給される通信メッセージ（制御情報を含む）等の送信情報を例えばプロバイダに向けてＩＰネットワークに送信する。
【００１８】
ＴＶ対応ＬＳＩ３３は、多重分離部３４、デコーダ部３５、画像重畳部３６、ＣＰＵ３７を有している。ＴＶ対応ＬＳＩ３３はデジタルＴＶチューナ３１又は映像配信通信モジュール３２から供給される多重されたＴＳを多重分離部３４で多重分離してデコーダ部３５に供給する。
【００１９】
デコーダ部３５は、ＭＰＥＧ２−ＴＳをデコードして映像信号と音声信号に変換する。変換された映像信号は画像重畳部３６を経て映像出力部３８からテレビジョン受像機に供給され、変換された音声信号は音声出力部３９からテレビジョン受像機に供給される。
【００２０】
ＣＰＵ３７は、リモコン等の操作部４０からの入力に応じて通信メッセージ（制御情報を含む）等の送信情報を生成し、この送信情報を例えばプロバイダに送信するために映像配信通信モジュール３２に供給する。これと共に、ＣＰＵ３７は例えばプロバイダからの通信メッセージに応じた制御を行う。
【００２１】
また、ＣＰＵ３７はプロバイダからの通信メッセージ（制御情報を含む）又は操作部４０から選局指示等の入力に応じたスーパーインポーズ表示を行うためのスーパーインポーズ映像信号を生成して画像重畳部３６に供給し、画像重畳部３６でデコーダ部３４からの映像信号にスーパーインポーズ映像信号を加算して重畳する。
【００２２】
更に、ＣＰＵ３７はデジタルＴＶチューナ３１と映像配信通信モジュール３２それぞれに選局するチャネルのチューニング制御を行い、また、デコーダ部３５の映像信号及び音声信号の出力制御を行う。ＣＰＵ３７はリモコン等の操作部４０からの入力があったときＬＥＤ（発光ダイオード）４１を点滅させる。これにより、利用者は操作部４０からの入力が確実に入力されたことを認識することができる。
【００２３】
＜セットトップボックスの状態遷移図＞
図２は、選局時表示の一実施形態の状態遷移図を示す。同図中、電源オフ状態ＳＴ１から放送受信装置３０の電源オンが操作されるとバナー無表示状態ＳＴ２となる。
【００２４】
バナー無表示状態ＳＴ２から操作部４０の選局キーが操作されると、高速選局動作と通常選局動作とに拘わらず拡大バナー表示状態ＳＴ３に遷移する。また、バナー無表示状態ＳＴ２から操作部４０のチャネル表示キーが操作されると、詳細バナー表示状態ＳＴ４に遷移する。なお、電源オン時には直前の電源オフ時のチャンネルが維持されており、電源オン後のチャンネル操作がされない場合にも、バナー無表示状態ＳＴ２から操作部４０の選局キーが操作された場合と同様に拡大バナー表示状態ＳＴ３に遷移する。
【００２５】
なお、選局キーにはアップ選局キー（チャネル番号が大きくなるように変化）とダウン選局キー（チャネル番号が小さくなるように変化）があり、これらの選局キーを短時間押すことでチャネル番号を１回だけ変化させる通常選局動作と、選局キーを押し続けることでチャネル番号を連続して次々に変化させる高速選局動作とがある。
【００２６】
図３に詳細バナーの一実施形態の表示例を示す。同図中、詳細バナー５１は、テレビジョン表示画面５０の例えば上部に表示される。詳細バナー５１には、例えば選局しているチャネルの時間の表示部５２と、番組名の表示部５３と、次の番組名の表示部５４と、視聴ネットワーク（地上デジタルテレビ，ケーブルテレビ，インターネットテレビ等）の表示部５５と、事業者名の表示部５６と、チャネル番号の表示部５７が設けられている。
【００２７】
図４に拡大バナーの一実施形態の表示例を示す。同図中、拡大バナー６１はテレビジョン表示画面５０の例えば右上部に表示される。拡大バナー６１には、例えば選局しているチャネルの視聴ネットワークの表示部６２と、チャネル番号の表示部６３が設けられている。この拡大バナーの視聴ネットワークの表示部６２とチャネル番号の表示部６３は、詳細バナーの視聴ネットワークの表示部５２とチャネル番号の表示部７３に対して拡大されている。
【００２８】
拡大バナー表示状態ＳＴ３から高速選局動作が行われると拡大バナー表示状態ＳＴ３を続け、通常選局動作が行われるとバナー無表示状態ＳＴ２に遷移する。また、チャネル表示キー操作が行われるとバナー無表示状態ＳＴ２に遷移する。これはチャネル表示キーにトグル機能（チャネル表示キーを奇数回操作すると詳細バナー表示となり、偶数回操作するとバナー無表示となる）を持たせるためである。
【００２９】
拡大バナー表示状態ＳＴ３で上記選局動作がなく所定時間Ｔ１（例えば１ｓｅｃ）を経過すると、詳細バナー表示状態ＳＴ４に遷移する。
【００３０】
詳細バナー表示状態ＳＴ４から高速選局動作が行われると拡大バナー表示状態ＳＴ３に遷移し、通常選局動作が行われるとバナー無表示状態ＳＴ２に遷移し、チャネル表示キー操作が行われるとバナー無表示状態ＳＴ２又は簡易バナー表示状態ＳＴ５に遷移する。
【００３１】
詳細バナー表示状態ＳＴ４で上記選局動作がなく所定時間Ｔ２（例えば５ｓｅｃ）を経過すると、簡易バナー固定表示が予め設定されているか否かを判別し、簡易バナー固定表示が設定されていなければバナー無表示状態ＳＴ２に遷移する。簡易バナー固定表示が設定されている場合には、簡易バナー表示状態ＳＴ５に遷移する。
【００３２】
図５に簡易バナーの一実施形態の表示例を示す。同図中、簡易バナー７１は、テレビジョン表示画面５０の例えば右上隅部に表示される。簡易バナー７１には、例えば選局しているチャネルの視聴ネットワークの表示部７２と、事業者名の表示部７３と、チャネル番号の表示部７４が設けられている。
【００３３】
簡易バナー表示状態ＳＴ５から高速選局動作が行われると拡大バナー表示状態ＳＴ３に遷移し、通常選局動作もしくはチャネル表示キー操作が行われるとバナー無表示状態ＳＴ２に遷移する。
【００３４】
なお、上記実施形態では簡易バナー表示状態ＳＴ５を設けているが、簡易バナー表示状態ＳＴ５を設けない構成としてもよい。
【００３５】
＜選局処理のフローチャート＞
図６は、ＣＰＵ３７が実行する選局処理の一実施形態のフローチャートを示す。同図中、操作部４０の選局キーが操作されると、ステップＳ１でＣＰＵ３７はデコーダ部３５の映像信号及び音声信号の出力を停止させて画像及び音声をミュート状態とする。
【００３６】
ステップＳ２でＣＰＵ３７は拡大バナーの映像信号を生成して画像重畳部３６に供給し、拡大バナーのスーパーインポーズ表示を行って拡大バナーのみを画面表示させる。次に、ステップＳ３で選局キーが押し続けられる高速選局動作が発生したか否かを判別し、高速選局動作の発生であればステップＳ２を繰り返す。
【００３７】
一方、高速選局動作が発生していなければステップＳ４に進んで、デジタルＴＶチューナ３１又は映像配信通信モジュール３２の選局制御を行ってチューニングを開始する。次に、ステップＳ５でチューニングが終了すると、ステップＳ６においてＣＰＵ３７はデコーダ部３５の映像信号及び音声信号の出力を開始させて画像及び音声のミュート状態を解除する。
【００３８】
そして、所定時間Ｔ１（例えば１ｓｅｃ）が経過すると、ステップＳ７で拡大バナーの画面表示を消去させ、ステップＳ８で詳細バナーの映像信号を生成して画像重畳部３６に供給し、詳細バナーのスーパーインポーズ表示を行って詳細バナーを画面表示させる。
【００３９】
更に、所定時間Ｔ２（例えば５ｓｅｃ）が経過すると、ステップＳ９で拡大バナーの画面表示を消去させ、この処理サイクルを終了する。
【００４０】
このように、選局時には詳細バナーに対し視聴ネットワークとチャネル番号を拡大した拡大バナーが例えば一定時間だけ表示されるため、選局動作時のチャネル番号の認識が容易となる。
【図面の簡単な説明】
【００４１】
【図１】本発明の放送受信装置の一実施形態のブロック図である。
【図２】選局時表示の一実施形態の状態遷移図である。
【図３】詳細バナーの一実施形態の表示例を示す図である。
【図４】拡大バナーの一実施形態の表示例を示す図である。
【図５】簡易バナーの一実施形態の表示例を示す図である。
【図６】選局処理の一実施形態のフローチャートである。
【符号の説明】
【００４２】
３０  セットトップボックス
３１  デジタルＴＶチューナ
３２  映像配信通信モジュール
３３  ＴＶ対応ＬＳＩ
３４  多重分離部
３５  デコーダ部
３６  画像重畳部
３７  ＣＰＵ
３８  映像出力部
３９  音声出力部
４０  操作部
４１  ＬＥＤ
５０  テレビジョン表示画面
５１  詳細バナー
５２〜５７  表示部
６１  拡大バナー
６２，６３  表示部
７１  簡易バナー
７２〜７４  表示部
【図１】
2009272878.tif 000003
【図２】
2009272878.tif 000004
【図３】
2009272878.tif 000005
【図４】
2009272878.tif 000006
【図５】
2009272878.tif 000007
【図６】
2009272878.tif 000008